(57)【要約】【課題】ジョブの数をカウントすることで残りの印刷の想定をより詳細に把握することができるプリンタ装置を提供する。【解決手段】ホスト２で作成された印刷データを用紙に出力するプリンタ装置１において、フォームオーバレイを用いた印刷を行った場合にそのフォームの実行回数をカウントして履歴情報を印刷する機能を有する（機能実現手段ＣＰＵ２６）。【選択図】        図１
2005022144.tif 000002
【特許請求の範囲】
【請求項１】
ホストで作成された印刷データを用紙に出力するプリンタ装置において、フォームオーバレイを用いた印刷を行った場合に、そのフォームの実行回数をカウントして履歴情報を印刷する履歴情報印刷手段を有することを特徴とするプリンタ装置。
【請求項２】
請求項１において、複数のフォームを登録している場合は、個々のフォームに名称を付けてその名称別に実行回数をカウントする実行回数カウント手段を有することを特徴とするプリンタ装置。
【請求項３】
請求項２において、使用するフォームデータの登録先の情報をも付加してカウントする情報付加カウント手段を有することを特徴とするプリンタ装置。
【請求項４】
請求項１において、フォームの実行回数が予め設定する値になると印刷を一時停止する一時停止手段を有することを特徴とするプリンタ装置。
【請求項５】
請求項４において、特定の名称のフォームの実行回数が設定値になると自動的に他トレイに切り替えてページ処理を実行し、当該トレイを脱着すると再び元トレイに再度切り替わるトレイ切替手段を有することを特徴とするプリンタ装置。
【請求項６】
請求項４において、トレイの脱着時に用紙残量確認を要請するメッセージを発することを特徴とするプリンタ装置。
【請求項７】
請求項４、６において、設定したフォーム実行回数よりトレイの用紙切れが早い場合は、おおよその必要枚数をメッセージ表示することを特徴とするプリンタ装置。
【発明の詳細な説明】
【０００１】
【発明の属する技術分野】
本発明は、ホストで作成された印刷データを用紙に出力するプリンタ装置に関し、フォームオーバレイ機能を有するプリンタ装置に関するものである。
【０００２】
【従来の技術】
フォームオーバレイ機能を有するプリンタ装置に関連する従来技術として、印字対象の発行部数を記憶する手段を持つようにしたものがある（例えば、特許文献１参照）。
また、特許文献２では、オーバレイフォームを格納してあるアドレスや、使用履歴データを記したテーブルを基に登録を行うフォームサーバ、プリンタ装置が提案されている。
さらに、フォームオーバレイデータは、識別番号毎にフォーム保管場所、画像処理方法を記録したテーブルに従って管理されるプリンタ装置が提案されている（特許文献３参照）。
【特許文献１】特開平０８−０６７０４６号公報
【特許文献２】特開２０００−１２７５４６公報
【特許文献３】特開２００２−０６７４２３公報
【０００３】
【発明が解決しようとする課題】
従来は排紙枚数の管理が主流であったが排紙枚数の管理だけでは、ジョブが不定枚数の構成の場合は経過が把握できないという問題があった。
本発明は、ジョブの数をカウントすることで残りの印刷の想定をより詳細に把握することができるプリンタ装置を提供することを目的とする。
【０００４】
【課題を解決するための手段】
上記目的を達成するために、請求項１記載の発明は、ホストで作成された印刷データを用紙に出力するプリンタ装置において、フォームオーバレイを用いた印刷を行った場合に、そのフォームの実行回数をカウントして履歴情報を印刷する履歴情報印刷手段を有することを最も主要な特徴とする。
請求項２記載の発明は、請求項１において、複数のフォームを登録している場合は、個々のフォームに名称を付けてその名称別に実行回数をカウントする実行回数カウント手段を有することを主要な特徴とする。
請求項３記載の発明は、請求項２において、使用するフォームデータの登録先の情報をも付加してカウントする情報付加カウント手段を有することを主要な特徴とする。
請求項４記載の発明は、請求項１において、フォームの実行回数が予め設定する値になると印刷を一時停止する一時停止手段を有することを主要な特徴とする。
請求項５記載の発明は、請求項４において、特定の名称のフォームの実行回数が設定値になると自動的に他トレイに切り替えてページ処理を実行し、当該トレイを脱着すると再び元トレイに再度切り替わるトレイ切替手段を有することを主要な特徴とする。
請求項６記載の発明は、請求項４において、トレイの脱着時に用紙残量確認を要請するメッセージを発する機能を有するプリンタ装置を主要な特徴とする。
【０００５】
請求項７記載の発明は、請求項４、６において、設定したフォーム実行回数よりトレイの用紙切れが早い場合はおおよその必要枚数をメッセージ表示する機能を有するプリンタ装置を主要な特徴とする。
本発明では、例えば基幹系システムを導入する市場で利用頻度が高いフォームオーバレイ印刷において、いくつかのフォームを組み合わせて使用し１ジョブとして扱う場合、特定のフォームの実行（使用）回数をカウントすることで全ジョブ中、どの程度印刷したのかを、印刷枚数ではなく印刷ジョブの数で管理する。
また、実行（使用）するフォームに名称を付けて管理し、その名称別フォームの実行回数をカウントする。
また、送信と受信のフォーム数の不一致、不具合を想定して、サーバーからプリンタまでフォームデータの処理経過（登録から実行まで）をトレースする。
また、フォームの実行回数を印刷処理の停止条件とすることで、トレイの用紙切れで中断する現状からジョブの必要な枚数の観点から、ジョブの切れ目で印刷停止タイミングが訪れるので「区切り良い印刷」が行われる。
また、上記の印刷処理停止に替えて自動的にトレイ切り替えを行い長期連続性を実現するが、元トレイが印刷可能に戻れば再帰切り替えを行う。
また、一時停止を有効活用して「用紙残量確認」を誘導するメッセージを表示し、ユーザーがトレイを引き出すタイミングを提供し、印刷途中などの無理な操作によるジャムを抑制する。
さらに、用紙を補給する際のユーザーに、「目標用紙補給量」の感覚を誘導する。
【０００６】
【発明の実施の形態】
以下、図面により本発明の実施の形態を詳細に説明する。
図１は本発明の実施の形態に係るプリンタ装置のコントローラを中心にした機能ブロック図である。プリンタ装置１は、コントローラ１１、操作パネル１２、ハードディスク１３、プリンタエンジン１４、メイン電源１５を有している。プリンタ装置１は上位装置であるホスト２と接続されている。ホスト２はハードデイスク３を有する。
操作パネル１２はプリンタ装置１のステータス表示部及びモード、印刷条件を変更できるスイッチ部である。プリンタエンジン１４はコントローラ１１からのビデオ信号と制御情報に基づいて感光体上に静電作像し給紙部より転写紙を給紙して画像を形成するユニットである。
コントローラ１１はその時設定されている制御モード及びホスト２からの制御コードに従ってホスト２からの印字データをビデオデータに変換してプリンタエンジン１４へ出力する制御機構の総称である。
コントローラ１１は、外部からプリンタ装置１への制御信号及びデータとプリンタ装置１からのステータス信号を送受信するインターフェースであるホストＩ／Ｆ２１、プログラムＲＯＭ２２、印字の時に使用される数種の書体を保持しているメモリであるフォントＲＯＭ２３、パネルＩ／Ｆ２４、ディスクＩ／Ｆ２５、プログラムＲＯＭ２２のプログラム内容に従ってデータ処理をするＣＰＵ２６、ＣＰＵ２６のワーク領域、ホスト２からのデータ受信バッファ、また処理後のイメージ展開領域に使用されるＲＡＭ２７を備えている。
またコントローラ１１は、電源のオン／オフに関わらずデータを保持できる不揮発性メモリであるＮＶ−ＲＡＭ２８、コントローラ１１からプリンタエンジン１４への制御信号とプリンタエンジン１４からコントローラ１１へのステータス信号を送受信するＩ／ＦであるエンジンＩ／Ｆ２９、ＬＡＮもしくはインターネット接続のためのＩ／ＦであるネットワークＩ／Ｆ３０を備えている。
【０００７】
図２は本発明の第１の制御例のフローチャートである。データ処理を開始してフォームオーバーレイの実行命令が存在する場合、そのフォームの実行（使用）回数をカウントして履歴情報を外部記憶装置に保存しプリントする（Ｓ１〜Ｓ６）。
図３は本発明の第２の制御例のフローチャートである。第２の制御例においては、フォームオーバーレイの実行命令が存在する場合、それが初めての実行フォームであれば、フォームに名称を付けてカウントする（Ｓ１〜Ｓ８）。
図４は本発明の第３の制御例のフローチャートである。図３に示す第２の制御例と同一処理は同一ステップ（Ｓ）番号を付す。第３の制御例では、フォームの登録先を付加し（Ｓ４−１）  フォームの登録先も印刷する。
図５は本発明の第４の制御例のフローチャートである。第４の制御例は設定するフォーム実行回数で印刷動作が停止する（Ｓ７、Ｓ８）か、または自動トレイ切り替えする（Ｓ１１〜Ｓ１５）。
図６は本発明の第５の制御例のフローチャートである。図５に示す第４の制御例と同一処理は同一ステップ（Ｓ）番号を付す。第５の制御例では、設定するフォーム実行回数で印刷動作が停止した後、用紙補給を要請するメッセージが表示される（Ｓ８−１）。
図７は本発明の第６の制御例のフローチャートである。図５に示す第４の制御例及び図６に示す第５の制御例と同一処理は同一ステップ（Ｓ）番号を付す。第６の制御例では、用紙補給を要請するメッセージが表示された（Ｓ８−１）後、用紙なしが発生した場合は、次のデータ処理を行わず印刷データを停止し、「残ジョブ数より用紙の必要枚数」を想定したメッセージを表示する（Ｓ８−２〜Ｓ８−４）。
【０００８】
【発明の効果】
以上説明したように、請求項１によれば、ジョブの数をカウントすることで残りの印刷の状況をより詳細に把握することができる。
請求項２によれば、複数のフォームを多用するジョブの場合、ジョブの識別（名称別）カウントにより、分類や項目に限定した計測を行うことができる。
請求項３によれば、排紙枚数だけでなく、ページ毎に対応するフォームの実行回数の観点からも計測するため、システム全体の検証やユーザーのプリンタ装置への信頼性が高まる。
請求項４、５によれば、ジョブを意識した印刷サイクルになり、自動的な印刷一時停止処理、トレイへの用紙補給、専用トレイとして運用する再帰トレイ切り替えを行うことができる。
請求項６によれば、用紙切れが発生する前の用紙補給タイミングをユーザーデータ量に合わせて図ることができる。
請求項７によれば、トレイの用紙枚数ではなく印刷するデータから用紙補給を誘導することができる。
【図面の簡単な説明】
【図１】本発明の実施の形態に係るプリンタ装置のコントローラを中心にした機能ブロック図。
【図２】本発明の第１の制御例のフローチャート。
【図３】本発明の第２の制御例のフローチャート。
【図４】本発明の第３の制御例のフローチャート。
【図５】本発明の第４の制御例のフローチャート。
【図６】本発明の第５の制御例のフローチャート。
【図７】本発明の第６の制御例のフローチャート。
【符号の説明】
１  プリンタ装置
２  ホスト
１１  コントローラ
１２  操作パネル
１４  プリンタエンジン
２６  ＣＰＵ（機能実現手段）
【図１】
2005022144.tif 000003
【図２】
2005022144.tif 000004
【図３】
2005022144.tif 000005
【図４】
2005022144.tif 000006
【図５】
2005022144.tif 000007
【図６】
2005022144.tif 000008
【図７】
2005022144.tif 000009